(57)【要約】【課題】遊技盤の遊技機枠への着脱容易化を図る。【解決手段】枠側取付構造体３が枠側縦骨格部６５と枠側回転支持部７１と枠側下部骨格部６８および枠側下盤裏受止部７２を備えた一体の形状であって、枠側取付構造体３が可動枠２の左側部に回転可能に取り付けられ、枠側取付構造体３が可動枠２の盤収納室１８の内部からの可動枠２の前側に横方向に回転された状態において、遊技盤４を取り付ける場合、盤側取付構造体５の上部に位置する盤側回転係合部１４が枠側取付構造体３の上部に位置する枠側回転係合部７に嵌め込まれた後、枠側回転係合部７と盤側回転係合部１４との嵌合部分を中心として遊技盤４の左側部の下部が枠側取付構造体３の方向に向けて回転されることによって、盤側取付構造体５が枠側取付構造体３に嵌め合わされて取り付けられる。【選択図】図１
2006166982.tif 000002
【特許請求の範囲】
【請求項１】
枠側取付構造体が可動枠の左側部に回転可能に取り付けられ、盤側取付構造体が遊技盤の左側部に固定的に設けられ、枠側取付構造体が可動枠の盤収納室の内部から可動枠の前側に横方向に回転された状態において、遊技盤が取り付けられるパチンコ機の遊技盤取付装置であって、枠側取付構造体が、枠側縦骨格部と、枠側縦骨格部の上部に設けられた枠側回転支持部と、枠側縦骨格部の下部に設けられた枠側下骨格部と、枠側下骨格部に設けられた枠側下盤裏受止部とを備えた一体の形状であり、盤側取付構造体が、遊技盤の左側部の上部に設けられる盤側回転係合部と、遊技盤の左側部における下部の裏面に設けられる盤側滑走係合部とを備え、遊技盤が遊技機枠に取り付けられる場合、盤側回転係合部が枠側回転支持部に嵌め込まれた後、枠側回転支持部と盤側回転係合部との嵌合部分を中心として遊技盤の左側部の下部が枠側取付構造体の方向に向けて回転されることによって、盤側滑走係合部と枠側下盤裏受止部とが互いに嵌め合わされて遊技盤の左側部が遊技機枠の左側部に盤側取付構造体と枠側取付構造体とで取り付けられたことを特徴とするパチンコ機の遊技盤取付装置。
【請求項２】
枠側回転支持部および枠側下骨格部の枠側縦骨格部からの突出寸法が、枠側取付構造体が可動枠の盤収納室の内部からの可動枠の前側に横方向に回転された場合に、枠側回転支持部の前端部および枠側下骨格部の前端部が可動枠の盤収納室の下縁部よりも前側に突出する寸法に設定されたことを特徴とする請求項１記載のパチンコ機の遊技盤取付装置。
【請求項３】
枠側取付構造体が枠側回転支持部よりも上部に位置して枠側縦骨格部に設けられた枠側上骨格部を備え、可動枠が前開放受止部を備え、枠側取付構造体が可動枠の盤収納室の内部からの可動枠の前側に横方向に回転された場合に枠側上骨格部が前開放受止部に衝突してそれ以上枠側取付構造体が可動枠の前側に横方向に回転しないように停止することを特徴とする請求項１記載のパチンコ機の遊技盤取付装置。
【請求項４】
枠側上骨格部と前開放受止部との衝突した場合における枠側取付構造体の最大開放角度が可動枠に前側に左側のヒンジで片開き可能に取り付けられた扉の最大開放角度よりも小さい角度に設定されたことを特徴とする請求項１記載のパチンコ機の遊技盤取付装置。
【請求項５】
枠側上骨格部が上規制機構を備え、可動枠が上規制逃部と上規制受止部とを備え、枠側取付構造体が可動枠の前側から可動枠の盤収納室の内部に回転された場合に上規制機構が上規制逃部に収納され、枠側取付構造体が可動枠の盤収納室の内部からの可動枠の前側に横方向に回転された場合に上規制機構が上規制受止部と前側に離れて向き合うことを特徴とする請求項１記載のパチンコ機の遊技盤取付装置。
【発明の詳細な説明】
【技術分野】
【０００１】
本発明は、遊技盤の遊技機枠への着脱が容易なパチンコ機の遊技盤取付装置に関する。
【背景技術】
【０００２】
パチンコ機には、遊技機枠を前側から見た場合、遊技機枠の左側部に上下一対の枠側取付構造体を前後方向に回転可能に設け、枠側取付構造体を遊技機枠から前側に回転させた状態において、遊技盤の左側部を遊技機枠の前側から枠側取付構造体に挿入し、遊技盤の右側部を人が前側から後側に押すことによって、遊技盤を遊技機枠に取り付けるものが知られている。しかしながら、枠側取付構造体が遊技機枠の上部に設けられる上部枠側取付構造体と遊技機枠の下部に設けられる下部枠側取付構造体とに分割され、上部枠側取付構造体と下部枠側取付構造体とが別々に回転する構造であるので、遊技盤を遊技機枠に取り付けるために、上部枠側取付構造体と下部枠側取付構造体とが遊技機枠から前側に回転させた状態において、遊技盤の左側部を上部枠側取付構造体および下部枠側取付構造体の両方に挿入することが困難であることから、遊技盤の左側部の上部を上部枠側取付構造体に挿入した後に、遊技盤の左側部の下部を下部枠側取付構造体に挿入するか、または、遊技盤の左側部の下部を下部枠側取付構造体に挿入した後に、遊技盤の左側部の上部を上部枠側取付構造体に挿入した場合、先に遊技盤の挿入された上部枠側取付構造体または下部枠側取付構造体が遊技機枠の方向に回転移動し、後から挿入する遊技盤の下部枠側取付構造体または上部枠側取付構造体への挿入が面倒となるというように、遊技盤の枠側取付構造体への取付作業が面倒であるという欠点がある。
【特許文献１】特開平８−１９６４７号公報
【発明の開示】
【発明が解決しようとする課題】
【０００３】
発明が解決しようとする問題点は、遊技盤の遊技機枠への取付作業が面倒であるという点である。
【課題を解決するための手段】
【０００４】
本発明に係るパチンコ機の遊技盤取付装置は、枠側取付構造体が可動枠の左側部に回転可能に取り付けられ、盤側取付構造体が遊技盤の左側部に固定的に設けられ、枠側取付構造体が可動枠の盤収納室の内部から可動枠の前側に横方向に回転された状態において、遊技盤が取り付けられるパチンコ機の遊技盤取付装置であって、枠側取付構造体が、枠側縦骨格部と、枠側縦骨格部の上部に設けられた枠側回転支持部と、枠側縦骨格部の下部に設けられた枠側下骨格部と、枠側下骨格部に設けられた枠側下盤裏受止部とを備えた一体の形状であり、盤側取付構造体が、遊技盤の左側部の上部に設けられる盤側回転係合部と、遊技盤の左側部における下部の裏面に設けられる盤側滑走係合部とを備え、遊技盤が遊技機枠に取り付けられる場合、盤側回転係合部が枠側回転支持部に嵌め込まれた後、枠側回転支持部と盤側回転係合部との嵌合部分を中心として遊技盤の左側部の下部が枠側取付構造体の方向に向けて回転されることによって、盤側滑走係合部と枠側下盤裏受止部とが互いに嵌め合わされて遊技盤の左側部が遊技機枠の左側部に盤側取付構造体と枠側取付構造体とで取り付けられたことを最も主要な特徴とする。本発明に係るパチンコ機の遊技盤取付装置において、枠側回転支持部および枠側下骨格部の枠側縦骨格部からの突出寸法が、枠側取付構造体が可動枠の盤収納室の内部からの可動枠の前側に横方向に回転された場合に、枠側回転支持部の前端部および枠側下骨格部の前端部が可動枠の盤収納室の下縁部よりも前側に突出する寸法に設定されるか、または、枠側取付構造体が枠側回転支持部よりも上部に位置して枠側縦骨格部に設けられた枠側上骨格部を備え、可動枠が前開放受止部を備え、枠側取付構造体が可動枠の盤収納室の内部からの可動枠の前側に横方向に回転された場合に枠側上骨格部が前開放受止部に衝突してそれ以上枠側取付構造体が可動枠の前側に横方向に回転しないように停止するか、または、枠側上骨格部と前開放受止部とが衝突した場合における枠側取付構造体の最大開放角度が可動枠に前側に左側のヒンジで片開き可能に取り付けられた扉の最大開放角度よりも小さい角度に設定されるか、または、枠側上骨格部が上規制機構を備え、可動枠が上規制逃部と上規制受止部とを備え、枠側取付構造体が可動枠の前側から可動枠の盤収納室の内部に回転された場合に上規制機構が上規制逃部に収納され、枠側取付構造体が可動枠の盤収納室の内部からの可動枠の前側に横方向に回転された場合に上規制機構が上規制受止部と前側に離れて向き合うようにしてもよい。
【発明の効果】
【０００５】
本発明に係るパチンコ機の遊技盤取付装置は、枠側取付構造体が枠側縦骨格部と枠側回転支持部と枠側下骨格部および枠側下盤裏受止部を備えた一体の形状であって、盤側回転係合部が枠側回転支持部に嵌め込まれた後、枠側回転支持部と盤側回転係合部との嵌合部分を中心として遊技盤の左側部の下部が枠側取付構造体の方向に向けて回転されることによって、盤側滑走係合部と枠側下盤裏受止部とが互いに嵌め合わされて遊技盤の左側部が遊技機枠の左側部に盤側取付構造体と枠側取付構造体とで取り付けられることによって、盤側回転係合部が枠側回転支持部に嵌め込まれた状態において、枠側取付構造体が可動枠の方向に回転移動しても、盤側滑走係合部と枠側下盤裏受止部とが枠側取付構造体の可動枠の方向への回転移動と一緒に同じ方向に移動し、盤側滑走係合部と枠側下盤裏受止部とが互いに適切に嵌め合わされるので、遊技盤を可動枠に取り付ける作業を容易に行うことができるという利点がある。枠側回転支持部および枠側下骨格部の枠側縦骨格部からの突出寸法が、枠側取付構造体が可動枠の盤収納室の内部からの可動枠の前側に横方向に回転された場合に、枠側回転支持部の前端部および枠側下骨格部の前端部が可動枠の盤収納室の下縁部よりも前側に突出する寸法に設定されれば、盤側回転係合部と枠側回転支持部との嵌め合い作業と、盤側滑走係合部と枠側下盤裏受止部との嵌め合い作業とが、可動枠の盤収納室の下縁部よりも前側で行えるという利点がある。枠側取付構造体が枠側回転支持部よりも上部に位置して枠側縦骨格部に設けられた枠側上骨格部を備え、可動枠が前開放受止部を備え、枠側取付構造体が可動枠の盤収納室の内部からの可動枠の前側に横方向に回転された場合に枠側上骨格部が前開放受止部に衝突してそれ以上枠側取付構造体が可動枠の前側に横方向に回転しないように停止すれば、枠側取付構造体が枠側上骨格部と前開放受止部との衝突した位置以上可動枠の前側に横方向に回転しないので、盤側回転係合部を枠側回転支持部に容易に嵌め合わせられるとともに、盤側滑走係合部を枠側下盤裏受止部に容易に合わせられることができるという利点がある。枠側上骨格部と前開放受止部との衝突した場合における枠側取付構造体の最大開放角度が可動枠に前側に左側のヒンジで片開き可能に取り付けられた扉の最大開放角度よりも小さい角度に設定されれば、遊技盤を可動枠に取り付ける場合、扉が邪魔にならないという利点がある。枠側上骨格部が上規制機構を備え、可動枠が上規制逃部と上規制受止部とを備え、枠側取付構造体が可動枠の前側から可動枠の盤収納室の内部に回転された場合に上規制機構が上規制逃部に収納され、枠側取付構造体が可動枠の盤収納室の内部からの可動枠の前側に横方向に回転された場合に上規制機構が上規制受止部と前側に離れて向き合えば、枠側取付構造体が可動枠の前側に回転された場合、枠側取付構造体が前開放受止部と上規制受止部との間に保持されるので、盤側取付構造体を枠側取付構造体に取り付けたり枠側取付構造体から取り外したりする操作を容易に行うことができるという利点がある。
【発明を実施するための最良の形態】
【０００６】
図１乃至図９は、発明を実施するための最良の形態である。図１は、遊技機枠１と遊技盤４とを分解して前側から示す。図２のａ図は枠側取付構造体３を前側から示す。図２のｂ図は枠側取付構造体３を裏側から示す。図３のａ図は、枠側構造躯体６の上部を可動枠２に回転可能に取り付ける構造を示す。図３のｂ図は、枠側構造躯体６の上部が可動枠２に回転可能に取り付けられた構造を示す。図４のａ図は、枠側構造躯体６の下部を可動枠２に回転可能に取り付ける構造を示す。図４のｂ図は、枠側構造躯体６の上部が可動枠２に回転可能に取り付けられた構造を示す。図５のａ図は、枠側構造躯体６の上部が可動枠２の前側に開放された構造を示す。図５のｂ図は、図５のａ図をＢ−Ｂ線に沿い切断した断面を示す。図６のａ図は、盤側取付構造体５を前側から示す。図６のｂ図は、盤側取付構造体５を裏側から示す。図７のａ図は上規制機構８が上規制受止部１２１と前後方向に対向するように動いた構造を示す。図７のｂ図は、上規制機構８が盤側取付構造体５によって可動枠２の上規制受止部１２１から下方に離されるように動いた構造を示す。図８は、盤側回転係合部１４と枠側回転係合部７とが互いに嵌め合わされた構造を示す。図９は、枠側取付構造体３と盤側構造躯体１３とによって、遊技盤４が可動枠２の盤収納室１８に取り付けられた構造を示す。この明細書において、「前」、「後」、「裏」、「左」、「右」、「上」、「下」の方向は、図１の状態に遊技機枠１および遊技盤４を置いて矢印Ａで示す前側から見た場合に特定される方向である。「後」と「裏」とは同じ方向である。
【０００７】
図１を参照し、パチンコ機の遊技盤取付装置における構造について大まかに説明する。遊技盤取付装置は、遊技機枠１の可動枠２に設けられた枠側取付構造体３と、遊技盤４に設けられた盤側取付構造体５とから構成される。枠側取付構造体３は、枠側構造躯体６に枠側回転係合部７と上規制機構８および下規制機構９を備える。枠側構造躯体６は、可動枠２に上ヒンジ１１および下ヒンジ１２を中心として可動枠２から前側に横方向に開放される可動枠２の前側から可動枠２の方向である後側に横方向に閉じられるように、前後方向に回転可能に取り付けられる。盤側取付構造体５は、盤側構造躯体１３に盤側回転係合部１４を備える。盤側構造躯体１３は遊技盤４の左側部に固定的に取り付けられる。
【０００８】
そして、遊技機枠１の扉２３が前側に開けられ、枠側構造躯体６が人によって可動枠２の前側に回転された状態において、盤側取付構造体５が可動枠２の方向へと後側に回転しても、上規制機構８が可動枠２の上縁部に前側から衝突して枠側構造躯体６の後側への回転を規制し、枠側構造躯体６の前側に回転された位置が保持される。次に、人が遊技盤４を手で持ち、遊技盤４の前面が前側に向けられ、遊技盤４の裏面が可動枠２の前面に対し斜めに向けられ、遊技盤４の左側部が可動枠２に前側から近づけられる。その状態において、遊技盤４の左側部における上部が下部よりも可動枠２の方向に近くなるように、遊技盤４が傾けられたまま、盤側回転係合部１４が人によって枠側構造躯体６の上部における枠側回転係合部７に上方から嵌め込まれ、盤側構造躯体１３が上規制機構８を動かし、上規制機構８の枠側構造躯体６から上方への突出量が減少する。
【０００９】
その後、遊技盤４の左側部における下部が可動枠２の方向に近くなるように、遊技盤４が人によって枠側回転係合部７と盤側回転係合部１４との嵌合部分を中心として下方に回転され、盤側滑走係合部１４５と枠側下盤裏受止部７２とが互いに嵌め合わされた後、下規制機構９が盤側構造躯体１３を前側に抜けないように盤側構造躯体１３の下部に係合する。これによって、遊技盤４の下縁部が可動枠２の盤棚１７と平行な態様になり、遊技盤４の左側部が可動枠２の盤収納室１８に配置される。上記上規制機構８における突出量の減少によって、上規制機構８が可動枠２の上縁部に前側から衝突しない態様になり、枠側取付構造体３が後側に回転可能となる。
【００１０】
引き続き、遊技盤４の右側部が人によって前側から可動枠２の方に押されると、遊技機枠１の盤ロック構造体１９におけるロック操作部２０が遊技盤４のロック取付部２１におけるロック挿入孔２２に後側から挿入されて前側に突出する。その状態において、人がロック操作部２０を例えば左方向に９０度回転操作すると、ロック操作部２０がロック挿入孔２２の周りにおけるロック取付部２１の前面に係合し、遊技盤４が可動枠２の盤収納室１８に取り付けられる。遊技盤４が取り付けられた後、扉２３が閉じられる。これによって、パチンコ機が構成される。このパチンコ機は、遊技盤４が遊技機枠１の内部に格納され、遊技盤４の前側が扉２３で覆われ、遊技盤４の遊技領域５３が遊技機枠１の前側から前面パネル２４を通して視認し得る形態である。
【００１１】
遊技機枠１の前側の構造について説明する。遊技機枠１は、固定枠２５の前側に可動枠２を左側のヒンジ２６で横方向に片開き可能に取り付け、可動枠２の前側に扉２３および球皿構造体２７を左側のヒンジ２８で横方向に片開き可能に取り付けた、構造である。固定枠２５は、パチンコ店の図外の遊技機設置構造体に取り付けるための外枠とも呼ばれ、前後方向に貫通した縦長な長方形の空間を囲む額縁形状である。可動枠２は、遊技盤４を取り付ける前枠とも呼ばれ、前後方向に貫通した縦長な長方形の空間を囲む額縁形状の可動枠本体２９から盤収納構造体３０を内部に延設する。可動枠本体２９の右縦片部には、施錠装置３１と複数のロック機構３２；３３；３４およびロック解除操作体３５が設けられる。盤収納構造体３０は、遊技盤４を装着する前側に開口した盤収納室１８の背壁３６に前後方向に貫通する中央開口部３７を備える。盤収納構造体３０の左側部には、枠側取付構造体３が設けられる。背壁３６の右側部には、盤ロック構造体１９が設けられる。盤ロック構造体１９は、背壁３６から前側に突出する円筒状の台座の中心にロック操作部２０を回転可能に備える。ロック操作部２０は、台座から前側に突出した操作軸の端部に固定された横長な形態である。
【００１２】
盤収納室１８の下縁部は、遊技盤４を搭載する左右方向に平坦な面としての盤棚１７を形成する。盤棚１７から下方に延設された盤収納構造体３０における前壁３８の前面には、球発射機構３９、球発射レール４０、戻り球取入口４１、払出球中継樋４２が設けられる。前壁３８の裏面には、機外排出樋４３が設けられる。球発射レール４０は、球皿構造体２７の球供給口４４から供給された１個の球を受け取る。球発射機構３９は、電力供給と遮断とを交互に受けることによって、球皿構造体２７の球皿部４５から球発射レール４０に供給された球を遊技盤４の遊技領域５３に向けて１個ずつ発射する。球発射レール４０は、球発射機構３９から発射された球を、遊技盤４における球発射通路６０の入口に誘導する。払出球中継樋４２は、可動枠２の裏側に設けられた図外の球払出装置から払い出された球を球皿構造体２７の球取入口４６に排出する。機外排出樋４３は、遊技盤４の裏側から排出された球を受け取って遊技機設置構造体における捕球機構に排出する。扉２３は、パネル枠とも呼ばれ、前後方向に貫通する窓４７を囲む額縁形状である。扉２３には、前面パネル２４が窓４７を覆う格好で裏面に取り付けられる。前面パネル２４は、光を透過する性質の有るガラスまたは合成樹脂などの材料からなる板状である。球皿構造体２７の前面には、球皿部４５および発射操作機構４８が設けられる。球皿部４５は、遊技に使用する球を受ける上方に開口した上方から下方に窪む容器である。発射操作機構４８は、遊技者が球を発射するために操作するものである。球皿構造体２７の裏面には、球取入口４６および球供給口４４が設けられる。球取入口４６は、払出球中継樋４２から排出された球を球皿部４５に供給する部分である。球供給口４４は、球皿部４５から球発射機構３９に球を供給する部分である。
【００１３】
遊技機枠１では、可動枠２や扉２３および球皿構造体２７が閉じられてロック機構３２；３３；３４で開閉不能に支持された場合、遊技店の店員が図外のキープレート（鍵）を遊技機枠１の前側から施錠装置３１の鍵穴４９に挿入し、当該キープレートを例えば右側に９０度回転操作すると、固定枠２５と可動枠２とのロック機構３２による支持形態が解除される。この支持形態の解除後に、店員が可動枠２を前側に引くことによって、可動枠２はヒンジ２６を中心として前側に片開きされる。また、上記施錠装置３１の鍵穴４９に挿入されたキープレートが例えば左側に９０度回転操作されると、可動枠２と扉２３とのロック機構３３による支持形態が解除される。この支持形態の解除後に、店員が扉２３を前側に引くことによって、扉２３はヒンジ２８を中心として前側に片開きされる。このように、扉２３が前側に開かれた状態において、店員が可動枠２の前面に設けられたロック解除操作体３５を操作すると、可動枠２と球皿構造体２７とのロック機構３４による支持形態が解除される。この支持形態の解除後に、店員が球皿構造体２７を前側に引くことによって、球皿構造体２７はヒンジ２８を中心として前側に片開きされる。
【００１４】
遊技盤４の前側の構造について説明する。遊技盤４の左側部には、盤側取付構造体５を備える。遊技盤４の右側部には、ロック取付部２１を備える。ロック取付部２１には、ロック挿入孔２２が前後方向への貫通孔として設けられる。遊技盤４の前面には、内ガイドレール５１と外ガイドレール５２とで囲まれた内側の遊技領域５３を備える。遊技領域５３には、入賞部品５４、遊技釘５５、飾り部品５６、アウト口５７、サイドランプ５８、風車５９などの遊技部品が取り付けられる。内ガイドレール５１の左側部と外ガイドレール５２の左側部との間の隙間が球発射通路６０である。
【００１５】
図２を参照し、枠側取付構造体３の構造について説明する。枠側取付構造体３の枠側構造躯体６は、金属板により、枠側縦骨格部６５、枠側後骨格部６６、枠側上骨格部６７、枠側下骨格部６８、上ヒンジ１１、下ヒンジ１２、上規制取付部６９、下規制取付部７０、枠側回転支持部７１、枠側下盤裏受止部７２、枠側下盤前受止部７３を備えた、一体の形状として構成される。枠側縦骨格部６５は、上下方向に長い帯板状である。枠側後骨格部６６は、枠側縦骨格部６５の後縁部から右側に直角に折り曲げられて突出する。枠側上骨格部６７は、枠側後骨格部６６の上縁部から前側に直角に折り曲げられて突出する。枠側上骨格部６７には、上ヒンジ１１が、枠側上骨格部６７から上方に直線的に突出した、ヒンジピンと呼ばれる丸棒として設けられる。枠側下骨格部６８は、枠側後骨格部６６の下縁部から前側に直角に折り曲げられて突出する。枠側下骨格部６８には、下ヒンジ１２およびレバー逃孔７５が設けられる。下ヒンジ１２は、枠側下骨格部６８から下方に直線的に突出した、ヒンジピンと呼ばれる丸棒として設けられる。レバー逃孔７５は、上下方向への貫通孔である。枠側下骨格部６８の下面には、ばね止部７６が、枠側下骨格部６８の下面から下方に直線的に突出した後に前側に直角に折り曲げられて突出する。上規制取付部６９は、枠側上骨格部６７よりも右側に位置し、枠側下骨格部６８の上縁部から上方に直線的に突出する。下規制取付部７０は、枠側下骨格部６８から下方に直角に折り曲げられて突出する。枠側回転支持部７１は、枠側上骨格部６７よりも下方に位置し、枠側縦骨格部６５の前縁部から右側に直角に折り曲げられて突出した部材と、枠側後骨格部６６から右側に直線的に延びた部材とからなる、前後一対である。前後一対の枠側回転支持部７１には、枠側回転係合部７が、枠側回転支持部７１の上縁部から下方に向けて内部に窪む半円弧状に、個別に設けられる。枠側下盤裏受止部７２は、枠側後骨格部６６の右側に延設された下縁部により形成される。枠側下盤前受止部７３は、枠側下骨格部６８の前縁部から上方に直角に折り曲げられて突出する。
【００１６】
上規制機構８は、上レバー軸８０、上規制レバー８１、上ばね８２を備える。上レバー軸８０は、金属製の丸棒であって、上規制取付部６９に設けられ、上規制取付部６９から前側に突出する。上規制レバー８１は、金属板からなり、上レバー軸８０に上下方向に回転可能に取り付けられる。上規制レバー８１の上レバー軸８０よりも左側に位置する左端部は、枠側構造躯体６の枠側上骨格部６７の真下に配置される。上規制レバー８１の上レバー軸８０よりも右側に位置する右端部は、枠側構造躯体６の上規制取付部６９よりも右側に突出する。上規制レバー８１の右端部には、補強部８３が上規制レバー８１の右端部から後側に直角に折り曲げられて突出する。上規制レバー８１の上レバー軸８０に回転可能に取り付けられた中央部には、ストッパー８４が上規制レバー８１の中央部の上縁部から後側に直角に折り曲げられて突出する。上ばね８２は、金属からなるコイルばねにより構成される。上ばね８２の一端部が上規制取付部６９に固定され、上ばね８２の他端部が上規制レバー８１に固定されることによって、上ばね８２が上規制レバー８１の左端部を矢印Ｗ３で示す上方から下方に向けて付勢する。上規制レバー８１が上ばね８２で下方に向けて付勢されることによって、上規制レバー８１のストッパー８４が枠側構造躯体６の枠側上骨格部６７の右縁部に上方の外側から衝突し、上規制レバー８１の枠側構造躯体６への取付姿勢が位置決めされる。
【００１７】
下規制機構９は、下レバー軸８６、下規制レバー８７、下ばね８８を備える。下レバー軸８６は、金属製の丸棒であって、枠側構造躯体６の下規制取付部７０に固定され、下規制取付部７０から前側に突出する。下規制レバー８７は、金属板からなり、下レバー軸８６に上下方向に回転可能に取り付けられる。下規制レバー８７の下レバー軸８６よりも左側に位置する左端部は、枠側構造躯体６の枠側下骨格部６８の真下に配置される。下規制レバー８７の左端部から上方に突出する先端部は、枠側構造躯体６の枠側下骨格部６８の真下からレバー逃孔７５を経由して枠側下骨格部６８の上方に突出する。下規制レバー８７における枠側下骨格部６８の真下に配置される左端部の上縁部には、操作体８９が、下規制レバー８７の左端部から前側に直角に折り曲げられて突出する。下ばね８８は、金属からなるコイルばねにより構成される。下ばね８８の一端部が枠側構造躯体６のばね止部７６に固定され、下ばね８８の他端部が下規制レバー８７の操作体８９に固定されることによって、下ばね８８が下規制レバー８７の左端部を矢印Ｗ４で示す下方から上方に向けて付勢する。下規制レバー８７が下ばね８８で上方に向けて付勢されることによって、下規制レバー８７の先端部におけるレバー逃孔７５に挿入された部分がレバー逃孔７５を囲む枠側下骨格部６８に下方から衝突し、下規制レバー８７の枠側構造躯体６への取付姿勢が位置決めされ、下規制レバー８７の先端部が枠側構造躯体６の枠側下骨格部６８より上方に突出する。
【００１８】
図３を参照し、枠側取付構造体３における枠側構造躯体６の上部が可動枠２に回転可能に取り付けられる構造について説明する。図３のａ図において、可動枠２の盤収納構造体３０における左側部の上部には、上軸受部１１８、上取付部１１９、上規制逃部１２０および上規制受止部１２１が設けられる。上軸受部１１８は、上ヒンジ１１を盤収納構造体３０の前側から収納し得る窪みであって、盤収納構造体３０の前面および盤収納室１８に開口する。上取付部１１９は、上軸受部１１８の周囲に位置し、盤収納構造体３０の前面から前側に突出する。上取付部１１９には、ねじ取付孔１２２が、上取付部１１９の前面から内部への窪みとして設けられる。上規制逃部１２０は、上軸受部１１８および上取付部１１９よりも右側に位置し、上規制レバー８１の中央部および上規制取付部６９を盤収納構造体３０の前側から収納し得る窪みであって、盤収納構造体３０の前面および盤収納室１８に開口する。上規制受止部１２１は、上規制逃部１２０の右側に位置し、上規制レバー８１の右端部を衝突し得る突起であって、盤収納構造体３０の前面により形成される。上ヒンジ支持体１２３は、上前面板１２４および上軸抜止部１２５を備える。上軸抜止部１２５は、上前面板１２４の裏面から後側に突出する。上前面板１２４には、ねじ挿入孔１２６および上嵌合部１２７が設けられる。ねじ挿入孔１２６は、上軸抜止部１２５の周囲に位置し、前後方向への貫通孔である。上嵌合部１２７は、上取付部１１９を前側から収納し得る窪みであって、ねじ挿入孔１２６を中心とし、上前面板１２４の裏面から内部に窪む。
【００１９】
そして、枠側取付構造体３の上ヒンジ１１が可動枠２の前側から上軸受部１１８に挿入され、枠側構造躯体６の枠側上骨格部６７が盤収納構造体３０から下方に離れて盤収納室１８に配置される。その後、上軸抜止部１２５が可動枠２の前側から上軸受部１１８に挿入され、上嵌合部１２７が上取付部１１９に前側から嵌め込まれ、タッピングスクリューのような止ねじ１２８が上ヒンジ支持体１２３の前側からねじ挿入孔１２６を経由して盤収納構造体３０のねじ取付孔１２２に締結される。これによって、図３のｂ図に示すように、上ヒンジ支持体１２３が盤収納構造体３０に取り付けられ、上軸抜止部１２５が上軸受部１１８の前部を塞ぎ、上ヒンジ１１が上ヒンジ支持体１２３で盤収納構造体３０の上軸受部１１８に回転可能に取り付けられる。
【００２０】
図４を参照し、枠側取付構造体３における枠側構造躯体６の下部が可動枠２に回転可能に取り付けられる構造について説明する。図４のａ図において、可動枠２の盤収納構造体３０における左側部の下部には、下後軸受部１３０と下取付部１３１および下規制逃部１３２が設けられる。下後軸受部１３０は、下ヒンジ１２の後半部を前側から収納し得る窪みであって、可動枠２の前面から内部に半円弧状に窪む。下取付部１３１は、下後軸受部１３０の周囲に位置し、盤収納構造体３０の前面から前側に突出する。下取付部１３１には、ねじ取付孔１３３が、下取付部１３１の前面から内部への窪みとして設けられる。下ヒンジ支持体１３４には、下前軸受部１３５とねじ挿入孔１３６および下嵌合部１３７が設けられる。下前軸受部１３５は、下ヒンジ１２の前部を前側から収納し得る窪みであって、下ヒンジ支持体１３４の裏面から前側である内部に半円弧状に窪む。ねじ挿入孔１３６は、下後軸受部１３０の周囲に位置し、前後方向への貫通孔である。下嵌合部１３７は、下取付部１３１を前側から収納し得る窪みであって、ねじ挿入孔１３６を中心とし、下ヒンジ支持体１３４の裏面から前側である内部へ窪む。
【００２１】
そして、枠側取付構造体３の下ヒンジ１２が可動枠２の前側から下後軸受部１３０に接触され、枠側構造躯体６の枠側下骨格部６８が盤収納構造体３０から下方に離れて盤収納室１８に配置される。その後、下ヒンジ支持体１３４の下前軸受部１３５が可動枠２の前側から下ヒンジ１２に嵌め込まれ、下ヒンジ支持体１３４の下嵌合部１３７が下取付部１３１に前側から嵌め込まれ、タッピングスクリューのような止ねじ１３８が下ヒンジ支持体１３４の前側からねじ挿入孔１３６を経由して盤収納構造体３０のねじ取付孔１３３に締結される。これによって、図４のｂ図に示すように、下ヒンジ１２が下後軸受部１３０と下前軸受部１３５とで前後から挟まれ、下ヒンジ支持体１３４が盤収納構造体３０に取り付けられ、下ヒンジ１２が下ヒンジ支持体１３４で盤収納構造体３０の下後軸受部１３０に回転可能に取り付けられる。
【００２２】
図３および図４で述べたように枠側取付構造体３が可動枠２に取り付けられることによって、枠側取付構造体３は、図１に示すように、上ヒンジ１１および下ヒンジ１２を中心として可動枠２から矢印Ｗ１で示す前側に横方向に開放されるとともに、可動枠２の前側から矢印Ｗ２で示す後側に横方向に閉じられるようになっている。
【００２３】
図５を参照し、枠側取付構造体３が上ヒンジ１１および下ヒンジ１２を中心として可動枠２から矢印Ｗ１で示す前側に横方向に開放された場合と、枠側取付構造体３が上ヒンジ１１および下ヒンジ１２を中心として可動枠２の前側から矢印Ｗ２で示す後側に横方向に閉じられた場合とにおける、可動枠２と枠側取付構造体３との関係について説明する。とりわけ、図５のｂ図において、枠側取付構造体３が、人によって、仮想線で示す位置から矢印Ｗ１で示す前側に横方向に開放されて実線で示す位置に到達すると、枠側構造躯体６の枠側上骨格部６７が、可動枠２の上規制逃部１２０よりも下方に位置して盤収納室１８の奥の隅部に形成された前開放受止部１３９に衝突し、枠側構造躯体６が、それ以上、矢印Ｗ１で示す前側に回転しないように停止する一方、上規制レバー８１における補強部８３の真上に位置する右端部が上ばね８２によって上方に跳ね上げられて可動枠２の上規制受止部１２１と前側に離れて向き合う。
【００２４】
これによって、枠側取付構造体３が、図５のｂ図における実線で示す位置から矢印Ｗ２で示す後側に回転した場合、上規制レバー８１における補強部８３の真上に位置する右端部が、可動枠２の上規制受止部１２１と衝突し、それ以上、矢印Ｗ２で示す後側に回転しないように停止する。つまり、枠側取付構造体３は、人によって、図５のｂ図における仮想線で示す位置から矢印Ｗ１で示す前側に横方向に開放されて実線で示す位置に到達することによって、前開放受止部１３９と上規制受止部１２１との間に保持される。このように枠側取付構造体３が、図５のｂ図に示す実線で示すように前開放受止部１３９と上規制受止部１２１との間に保持された場合、枠側取付構造体３の枠側回転支持部７１の前端部および枠側下骨格部６８の前端部は、可動枠２の盤収納室１８および盤棚１７よりも前側に突出する。
【００２５】
次に、枠側取付構造体３が図５のｂ図に示す実線で示すように前開放受止部１３９と上規制受止部１２１との間に保持された状態において、枠側取付構造体３が人によって矢印Ｗ２で示す後側に回転される場合、上規制レバー８１における補強部８３の真上に位置する右端部が人または図１に示す盤側取付構造体５によって上ばね８２のばね力に抗して可動枠２の上規制受止部１２１よりも下方に回転される。その状態において、枠側取付構造体３が、図５のｂ図に示す実線で示す位置から矢印Ｗ２で示す後側に押されて横方向に閉じられて仮想線で示す位置に到達すると、枠側取付構造体３の枠側回転支持部７１の前端部および枠側下骨格部６８の前端部は、可動枠２の盤収納室１８の内部および盤棚１７の上方に配置されて右側に向いた状態に停止する。図５のｂ図において、仮想線で示す位置の枠側取付構造体３と実線で示す位置の枠側取付構造体３とからなる枠側取付構造体３の最大開放角度θ１は、例えば、４５度になっている。仮想線で示す位置の扉２３における可動枠２の一点鎖線Ｌ１で示す前面に対する前側への最大開放角度θ２は、例えば、１２０度になっている。よって、枠側取付構造体３の最大開放角度θ１は、扉２３の最大開放角度θ２よりも小さい角度である（θ１＜θ２）。このように枠側取付構造体３の最大開放角度θ１＜扉２３の最大開放角度θ２の関係によって、遊技盤４を可動枠２に取り付ける場合、扉２３が邪魔にならないという利点がある。
【００２６】
図６を参照し、盤側取付構造体５の構造について説明する。盤側取付構造体５の盤側構造躯体１３は、金属板により、盤側縦骨格部１４１、盤側後骨格部１４２、盤側上骨格部１４３、盤側下骨格部１４４、盤側回転係合部１４、盤側滑走係合部１４５を備えた、一体の形状として構成される。盤側縦骨格部１４１は、上下方向に長い帯状である。盤側後骨格部１４２は、盤側縦骨格部１４１の後縁部から右側に直角に折り曲げられて突出する。盤側上骨格部１４３は、盤側後骨格部１４２の上縁部から前側に直角に折り曲げられて突出する。
【００２７】
盤側上骨格部１４３には、盤挿入溝１４７および盤側回転係合部１４が設けられる。盤挿入溝１４７は、盤側上骨格部１４３と、盤側上骨格部１４３の前縁部から下方に直角に折り曲げられて突出した盤側上盤前受止部１４８と、盤側上骨格部１４３の後縁部から下方に直角に折り曲げられて突出した盤側上盤裏受止部１４９とによって、下方および右側に開口した形状に形成される。盤側回転係合部１４は、盤側上盤前受止部１４８の前面から前側に突出するとともに、盤側上盤裏受止部１４９の裏面から裏側に突出した、ヒンジピンと呼ばれる丸棒として設けられる。盤側下骨格部１４４は、盤側後骨格部１４２の下縁部から前側に直角に折り曲げられて突出する。
【００２８】
盤側下骨格部１４４には、盤側下盤裏受止部１５０および盤側滑走係合部１４５が設けられる。盤側下盤裏受止部１５０は、盤側下骨格部１４４の後縁部から上方に折り曲げられて突出する。盤側滑走係合部１４５は、盤側下盤裏受止部１５０の上縁部から後側に折り曲げられた後に下方に折り曲げられて、下方および前後方向に開口した盤側滑走係合溝１５１を形成する。盤側後骨格部１４２と盤側上盤裏受止部１４９および盤側下盤裏受止部１５０には、木ねじのような止ねじ１５２を挿入するためのねじ挿入孔１５３が設けられる。
【００２９】
図１、図７乃至図９を参照し、遊技盤取付装置の作用について説明する。図７のａ図に示すように、枠側取付構造体３が上ヒンジ１１および下ヒンジ１２を中心として可動枠２から図１の矢印Ｗ１で示す前側に横方向に最大に開放されて保持された状態において、遊技盤４が可動枠２に取り付けられる。その場合、図８に示すように、人が遊技盤４を手で持ち、遊技盤４の前面１７０が前側に向けられ、遊技盤４の左側部における上部が下部よりも可動枠２の方向に近くなるように、遊技盤４が傾けられたまま、盤側上骨格部１４３が前後一対の枠側回転支持部７１の間に挿入されつつ、盤側回転係合部１４が枠側回転係合部７に上方から嵌め込まれる。このように盤側回転係合部１４が枠側回転係合部７に嵌め込まれるのに伴い、図７のｂ図に示すように、盤側構造躯体１３が上規制レバー８１の左端部を上レバー軸８０を中心として上方に動かすことによって、上規制レバー８１の右端部が上レバー軸８０を中心として上規制受止部１２１から下方に離れるように動く。
【００３０】
引き続き、図８に示すように、盤側下盤裏受止部１５０の裏面が枠側下盤裏受止部７２の前面に接触される。盤側下盤裏受止部１５０と枠側下盤裏受止部７２とが互いに接触したまま、遊技盤４の左側部における下部が枠側縦骨格部６５の方向に近くなるように、遊技盤４が人によって枠側回転係合部７と盤側回転係合部１４との嵌合部分を中心として矢印Ｗ５で示す下方に回転されると、盤側滑走係合溝１５１が枠側下盤裏受止部７２に上方から挿入され、盤側滑走係合部１４５と枠側下盤裏受止部７２とが互いに嵌め合わされ、盤側下骨格部１４４が枠側取付構造体３の下規制レバー８７の先端部を下方に押し下げる。図８では、遊技盤４の前面１７０に取り付けられる前側部品の図示を省略してある。
【００３１】
引き続き、遊技盤４の矢印Ｗ５で示す下方への回転に伴い、盤側下骨格部１４４が枠側取付構造体３の下規制レバー８７の先端部を枠側縦骨格部６５の方向に越え、下規制レバー８７の先端部が遊技盤４の下面に接触することによって、下規制機構９が盤側構造躯体１３を枠側縦骨格部６５から離れる方向に抜けないように盤側下骨格部１４４に係合する。これによって、図９に示すように、下規制機構９の枠側下骨格部６８よりも上方の先端部が遊技盤４の逃部１５４に収納され、遊技盤４の下縁部が可動枠２の盤棚１７と平行な態様になり、遊技盤４の左側部が可動枠２の盤収納室１８に配置される。上記上規制機構８における突出量の減少によって、上規制機構８が可動枠２の上縁部に前側から衝突しない態様になり、枠側取付構造体３が後側に回転可能となる。逃部１５４は、図６に示す盤側下骨格部１４４に上下方向への貫通孔として形成されるとともに図８に示す遊技盤４の下面から内部への窪みとして形成されている。
【００３２】
その後、遊技盤４の右側部が人によって前側から可動枠２の方に押されると、図１に示す遊技機枠１の盤ロック構造体１９におけるロック操作部２０が遊技盤４のロック取付部２１におけるロック挿入孔２２に後側から挿入されて前側に突出する。その状態において、人がロック操作部２０を例えば左方向に９０度回転操作すると、ロック操作部２０がロック挿入孔２２の周りにおけるロック取付部２１の前面に係合し、遊技盤４が可動枠２の盤収納室１８に取り付けられる。
【００３３】
遊技盤４が可動枠２の盤収納室１８に取り付けられた状態において、遊技盤４を可動枠２から取り外す場合について説明する。扉２３が前側に開けられた後、人がロック操作部２０を右方向に９０度回転操作し、ロック操作部２０がロック挿入孔２２から前側に抜けるようにロック挿入孔２２と対向される。そして、遊技盤４の右側部が人によって可動枠２の前側に引き出されると、ロック操作部２０がロック挿入孔２２から抜けるとともに、枠側取付構造体３が上ヒンジ１１および下ヒンジ１２を中心として可動枠２から図１の矢印Ｗ１示す前側に横方向に開かれる。そして、枠側取付構造体３が最大に開放されて保持された状態において、人が枠側取付構造体３の操作体８９を下方に操作すると、下規制レバー８７が下方に回転し、下規制レバー８７と下規制機構９による盤側下骨格部１４４との係合が解除される。そのまま、遊技盤４の下縁部が上方に移動するように、人が遊技盤４の下縁部を持ち上げるに伴い、遊技盤４が枠側回転係合部７と盤側回転係合部１４との嵌合部分を中心として上方に回転される。その後、人が遊技盤４を手で持ち上げ、枠側回転係合部７と盤側回転係合部１４との嵌め合いを外し、遊技盤４を可動枠２の盤収納室１８から可動枠２の前側に取り外す。これによって、遊技盤４が可動枠２から前側に取り外される。
【００３４】
最良の形態によれば、図１において、枠側取付構造体３が枠側縦骨格部６５と枠側回転支持部７１と枠側下骨格部６８および枠側下盤裏受止部７２を備えた一体の形状であって、枠側取付構造体３が可動枠２の左側部に回転可能に取り付けられ、枠側取付構造体３が可動枠２の盤収納室１８の内部からの可動枠２の前側に横方向に回転された状態において、遊技盤４を取り付ける場合、盤側取付構造体５の上部に位置する盤側回転係合部１４が枠側取付構造体３の上部に位置する枠側回転係合部７に嵌め込まれた後、枠側回転係合部７と盤側回転係合部１４との嵌合部分を中心として遊技盤４の左側部の下部が枠側取付構造体３の方向に向けて回転される。よって、盤側回転係合部１４が枠側回転支持部７１に嵌め込まれた状態において、枠側取付構造体３が可動枠２の方向に回転移動しても、盤側滑走係合部１４５と枠側下盤裏受止部７２とが枠側取付構造体３の可動枠２の方向への回転移動と一緒に同じ方向に移動し、盤側滑走係合部１４５と枠側下盤裏受止部７２とが互いに適切に嵌め合わされるので、遊技盤４を可動枠２に取り付ける作業を容易に行うことができるという利点がある。
【００３５】
図１、図２、図６において、枠側取付構造体３が枠側縦骨格部６５と枠側回転支持部７１と枠側下骨格部６８および枠側下盤裏受止部７２を備えた一体の形状であって、盤側回転係合部１４が枠側回転係合部７に嵌め込まれた後、枠側回転係合部７と盤側回転係合部１４との嵌合部分を中心として遊技盤４の左側部の下部が枠側取付構造体３の方向に向けて回転されることによって、盤側滑走係合部１４５と枠側下盤裏受止部７２とが互いに嵌め合わされて遊技盤４の左側部が可動枠２の左側部に枠側取付構造体３と盤側取付構造体５とで取り付けられる。よって、枠側回転係合部７と盤側回転係合部１４とが互いに嵌め合わされた状態において、枠側取付構造体３が可動枠２の方向に回転移動しても、枠側下盤裏受止部７２と盤側滑走係合部１４５とが枠側取付構造体３の可動枠２の方向への回転移動と一緒に同じ方向に移動し、枠側下盤裏受止部７２と盤側滑走係合部１４５とが互いに適切に嵌め合わされるので、遊技盤４を遊技機枠１に取り付ける作業を容易に行うことができるという利点がある。
【００３６】
枠側回転支持部７１および枠側下骨格部６８の枠側縦骨格部６５からの突出寸法、具体的には、図２に示す上ヒンジ１１の中心と枠側回転支持部７１の前端部との間の寸法Ｌ３および図５のｂ図に示す下ヒンジ１２の中心と枠側下骨格部６８の前端部との間の寸法Ｌ２は、枠側取付構造体３が可動枠２の盤収納室１８の内部からの可動枠２の前側に横方向に回転された場合に、枠側回転支持部７１の前端部および枠側下骨格部６８の前端部が可動枠２の盤収納室１８の下縁部である盤棚１７よりも前側に突出する寸法に設定されているので、盤側回転係合部１４と枠側回転係合部７との嵌め合い作業と、盤側滑走係合部１４５と枠側下盤裏受止部７２との嵌め合い作業とが、可動枠２の盤収納室１８の盤棚１７よりも前側で行えるという利点がある。
【００３７】
図５に示すように、枠側取付構造体３が枠側回転支持部７１よりも上部に位置して枠側縦骨格部６５に設けられた枠側上骨格部６７を備え、可動枠２が前開放受止部１３９を備え、枠側取付構造体３が可動枠２の盤収納室１８の内部からの可動枠２の前側に横方向に回転された場合に、枠側上骨格部６７が前開放受止部１３９に衝突し、それ以上、枠側取付構造体３が可動枠２の前側に横方向に回転しないように停止することによって、枠側取付構造体３が枠側上骨格部６７と前開放受止部１３９との衝突した位置以上可動枠２の前側に横方向に回転しないので、盤側回転係合部１４を枠側回転係合部７に容易に嵌め合わせられるとともに、盤側滑走係合部１４５を枠側下盤裏受止部７２に容易に合わせられることができるという利点がある。
【００３８】
図５において、枠側上骨格部６７が上規制機構８を備え、可動枠２が上規制逃部１２０と上規制受止部１２１とを備え、枠側取付構造体３が可動枠２の前側から盤収納室１８の内部に回転された場合に上規制機構８が上規制逃部１２０に収納され、枠側取付構造体３が盤収納室１８の内部からの可動枠２の前側に横方向に回転された場合に上規制機構８が上規制受止部１２１と前側に離れて向き合うので、枠側取付構造体３が可動枠２の前側に回転された場合、枠側取付構造体３が前開放受止部１３９と上規制受止部１２１との間に保持されるので、図１の盤側取付構造体５を枠側取付構造体３に取り付けたり枠側取付構造体３から取り外したりする操作を容易に行うことができるという利点がある。
【００３９】
図３のｂ図、図４のｂ図、図５のｂ図において、枠側取付構造体３が可動枠２の前側に回転された場合、枠側取付構造体３の枠側回転支持部７１の前端部および枠側下骨格部６８の前端部が可動枠２の盤収納室１８および盤棚１７よりも前側に突出するので、遊技盤４を取り付ける場合、盤側回転係合部１４を枠側回転係合部７に容易に嵌め込むことができ、盤側取付構造体５の下部が枠側取付構造体３の下部に容易に嵌め込むことができるという利点がある。枠側取付構造体３が可動枠２の前側に回転された場合、枠側取付構造体３が前開放受止部１３９と上規制受止部１２１との間に保持されるので、盤側取付構造体５を枠側取付構造体３に取り付けたり枠側取付構造体３から取り外したりする操作を容易に行うことができるという利点がある。
【産業上の利用可能性】
【００４０】
枠側取付構造体３の最大開放角度θ１は、４５度に限定されるものではなく、図５のｂ図に示すように、枠側取付構造体３を前側に回転した場合、枠側取付構造体３が前側に開かれた扉２３と衝突しないで、遊技盤４を可動枠２の前側から取り付けたり取り外したりする操作が可能な範囲であればよい。その範囲は、例えば、４０度から８０度の範囲であろう。
【図面の簡単な説明】
【００４１】
【図１】遊技機枠と遊技盤とを示す分解斜視図（最良の形態）。
【図２】枠側取付構造体を示し、ａ図は前側からの斜視図、ｂ図は裏側からの斜視図（最良の形態）。
【図３】枠側構造躯体の上部と可動枠との取付構造を示し、ａ図は分解斜視図、ｂ図は組立斜視図（最良の形態）。
【図４】枠側構造躯体の下部と可動枠との取付構造を示し、ａ図は分解斜視図、ｂ図は組立斜視図（最良の形態）。
【図５】ａ図は枠側構造躯体の上部が可動枠の前側に開放された構造の前側からの斜視図、ｂ図はａ図のＢ−Ｂ線断面図（最良の形態）。
【図６】盤側取付構造体を示し、ａ図は前側からの斜視図、ｂ図は裏側からの斜視図（最良の形態）。
【図７】ａ図は上規制機構が上規制受止部と前後方向に対向する正面図。ｂ図は上規制機構が上規制受止部から下方に離された正面図（最良の形態）。
【図８】枠側回転係合部と盤側回転係合部との嵌合構造の前側からの斜視図（最良の形態）。
【図９】遊技盤が盤収納室に取り付けられた左側を示す正面図（最良の形態）。
【符号の説明】
【００４２】
１    遊技機枠
２    可動枠
３    枠側取付構造体
４    遊技盤
５    盤側取付構造体
６    枠側構造躯体
７    枠側回転係合部
８    上規制機構
１１  上ヒンジ
１２  下ヒンジ
１３  盤側構造躯体
１４  盤側回転係合部
１８  盤収納室
【図１】
2006166982.tif 000003
【図２】
2006166982.tif 000004
【図３】
2006166982.tif 000005
【図４】
2006166982.tif 000006
【図５】
2006166982.tif 000007
【図６】
2006166982.tif 000008
【図７】
2006166982.tif 000009
【図８】
2006166982.tif 000010
【図９】
2006166982.tif 000011